(57)【要約】【課題】ミシン目の位置が多少ずれてしまったとしても、容器を切り離した際に鋭利な突起が形成されてしまうという事態を好適に回避することができる複数連接型容器を提供する。【解決手段】それぞれ上縁に鍔部３を有する複数の容器２が横方向に繋がった状態に成形されたプラスチック製の複数連接型容器１において、隣接する容器２，２の鍔部３，３同士がミシン目４を介して接続され、隣接する容器２，２間の鍔部３，３の突き合わせ部分に形成される切欠最奥部５から内側へ向かって所定長の切込６が形成されていることを特徴とする。【選択図】図１
2009120246.tif 000002
【特許請求の範囲】
【請求項１】
それぞれ上縁に鍔部を有する複数の容器が横方向に繋がった状態に成形されたプラスチック製の容器であって、
隣接する容器の鍔部同士がミシン目を介して接続され、
隣接する容器間の鍔部の突き合わせ部分に形成される切欠最奥部から内側へ向かって所定長の切込が形成されていることを特徴とする複数連接型容器。
【請求項２】
前記切込が、３〜５ｍｍの範囲で設定されていることを特徴とする、請求項１に記載の複数連接型容器。
【請求項３】
前記ミシン目が、一方の切込と、その反対側の切込の間の領域内に形成されていることを特徴とする、請求項１又は請求項２に記載の複数連接型容器。
【請求項４】
請求項１〜３のいずれかに記載の複数連接型容器の製造方法であって、
前記鍔部の輪郭形状を画定する際に、輪郭を打ち抜くだけでなく、同時に前記切込を形成することができる打抜刃を使用することを特徴とする複数連接型容器の製造方法。
【発明の詳細な説明】
【技術分野】
【０００１】
本発明は、豆腐をはじめとする食品、或いは、その他の商品の包装に適したプラスチック製の容器に関し、特に、複数の容器が横方向に繋がった状態で成形され、必要に応じて適宜切り離すことができるように構成された複数連接型容器に関する。
【背景技術】
【０００２】
豆腐は、プラスチック製の容器に収容された状態で販売されることが多い。豆腐用の容器としては、上縁に所定幅の鍔部を有するものが一般的であり、この種の容器を用いれば、原料（豆乳と苦汁）を充填した後、上面にプラスチックフィルムを被せ、鍔部とプラスチックフィルムとを接着（例えば、ヒートシール）することによって、豆腐を好適に密封することができる。
【０００３】
かかる容器によってパックされる豆腐の量は、従来は「１丁」分、或いは、その半分（半丁分）とすることが主流であったが、最近では、より小さい容器が使用され、より少量（例えば、１／３丁分、或いは、１／４丁分）にて個装される傾向にある。そして、そのような「小さい容器」としては、多様なニーズに対応できるように、また、取り扱い時の利便性を考慮して、複数個が横方向に繋がった状態のものが使用されることがある。
【特許文献１】登録実用新案第３０６１９６６号公報
【発明の開示】
【発明が解決しようとする課題】
【０００４】
複数個が繋がった状態の容器（複数連接型容器）は、通常、隣接する容器の鍔部同士がミシン目を介して接続されており、必要に応じて簡単に切り離すことができるようになっている。但し、そのような構造の複数連接型容器においては、次のような問題がある。
【０００５】
この種のプラスチック製の容器は、一般に、原料となるプラスチックの板を加熱しながらプレスすることによって器状の部分と上縁の鍔部とからなる形状に成形し、鍔部の輪郭形状を画定するために、鍔部の外周部分に所定形状の打抜刃を当てて不要な部分を切り落とし、最後に、隣接する複数の容器間の鍔部の中央に間欠的な形状の刃を当ててミシン目を形成する、という方法によって製造されているが、鍔部の輪郭形状を画定する打抜刃と、ミシン目を形成する間欠的形状の刃は、鍔部に対して同時に当てることができないため、打抜刃によって画定された鍔部の輪郭形状に対し、ミシン目の位置がずれてしまうことがあり、鍔部の輪郭形状によっては、容器毎に切り離した際に、一方の鍔部に鋭利な突起が形成されてしまうことがある。
【０００６】
例えば、図５及び図６に示すように、各容器３２の平面形状が矩形状で、容器３２毎に切り離した際に、鍔部３３の四つの角部３３ａがいずれも９０°の円弧形状となるような輪郭の複数連接型容器３１の場合、図７に示すようにミシン目３４の位置が中心（隣接する容器３２，３２間の鍔部３３，３３の突き合わせ部分に形成される切欠最奥部３５の位置）からずれてしまうと、切り離した際に鋭利な突起３９が形成されてしまうことがあり（図８参照）、非常に危険である。
【０００７】
本発明は、このような従来の問題を解決すべくなされたものであって、ミシン目の位置が多少ずれてしまったとしても、容器を切り離した際に鋭利な突起が形成されてしまうという事態を好適に回避することができる複数連接型容器を提供することを目的とする。
【課題を解決するための手段】
【０００８】
本発明の複数連接型容器は、それぞれ上縁に鍔部を有する複数の容器が横方向に繋がった状態に成形されたプラスチック製の容器において、隣接する容器の鍔部同士がミシン目を介して接続され、隣接する容器間の鍔部の突き合わせ部分に形成される切欠最奥部から内側へ向かって所定長の切込が形成されていることを特徴としている。
【０００９】
尚、それらの切込は、３〜５ｍｍの範囲で設定されていることが好ましく、ミシン目は、一方の切込と、その反対側の切込の間の領域内に形成されていることが好ましい。
【００１０】
また、かかる複数連接型容器を製造に際しては、鍔部の輪郭形状を画定するとき、輪郭を打ち抜くだけでなく、同時に切込を形成することができる打抜刃を使用することが好ましい。
【発明の効果】
【００１１】
本発明によれば、容器の切り離しに利用されるミシン目の位置が、製造工程において生じた何らかの要因によって、多少ずれてしまったとしても、容器を切り離した際に鋭利な突起が形成されてしまうという事態を好適に回避することができる。
【発明を実施するための最良の形態】
【００１２】
以下、添付図面に沿って、本発明を実施するための最良の形態について説明する。図１は、本発明に係る複数連接型容器１の平面図であり、図２は、その一部の拡大図（図１において破線の円で囲った部分の拡大図）である。図１に示されているように、この複数連接型容器１は、複数の容器２が横方向に繋がった状態となっている。そして、隣接する容器２，２の鍔部３，３同士がミシン目４を介して接続されており、必要に応じて簡単に切り離すことができるようになっている。また、各容器２の平面形状は矩形状で、容器２毎に切り離した際に、鍔部３の四つの角部３ａがいずれも９０°の円弧状となるような輪郭形状となっている。
【００１３】
尚、この複数連接型容器１は、隣接する容器２，２間の鍔部３の突き合わせ部分に形成される切欠最奥部５から内側へ向かって切込６が形成されている。この切込６の長さＬは、本実施形態においてはいずれも４ｍｍに設定されているが、この長さに限定されるものではなく、３〜５ｍｍの範囲で任意に設定することができる。
【００１４】
そして、ミシン目４は、一方の切込６と、その反対側の切込６の間の領域内（切込６の内側端部６ａ，６ａ間）に形成されている。このため、ミシン目４の位置が中心（隣接する容器２，２間の鍔部３，３の突き合わせ部分に形成される切欠最奥部５の位置）からずれてしまったとしても、容器２毎に切り離した際に、鋭利な突起が形成されてしまうという事態（図８参照）を好適に回避することができる。
【００１５】
この点について具体的に説明すると、図３に示すように、ミシン目４の位置が中心（隣接する容器２，２間の鍔部３，３の突き合わせ部分に形成される切欠最奥部５の位置）からずれてしまった場合であっても、図４に示すように、問題なく容器２毎に切り離すことができ、図８に示したような鋭利な突起が形成されることはない。
【００１６】
かかる効果が期待できるのは、本実施形態の複数連接型容器１において、切欠最奥部５から内側へ向かって所定長さの切込６が形成されているからである。この切込６が存在することにより、容器２の切り離しのための鍔部３の破断が、鍔部３の円弧状の角部３ａから離れた位置で行われることになるからである。また、ミシン目４の端部が、鍔部３の円弧状の角部３ａまで達していないこと（上述の通りミシン目４は、一方の切込６と、その反対側の切込６の間の領域内、より詳細には、切込６の内側端部６ａ，６ａ間に形成されている。）も、かかる効果（容器２の切り離しの際に、鋭利な突起が形成されることが防止されるという効果）の導出に寄与している。
【００１７】
尚、切込６の形成は、鍔部３の輪郭形状を画定するために使用される打抜刃によって形成されること、換言すれば、鍔部３の輪郭形状を画定する際には、輪郭を打ち抜くだけでなく、同時に切込６を形成できるような打抜刃を使用することが好ましい。この場合、鍔部３の輪郭に対して、切込６の位置がずれてしまうことを回避することができる。
【００１８】
また、本実施形態においては、鍔部３の角部３ａは９０°の円弧形状となっているが、必ずしもかかる形状に限定されるものではなく、角部がいわゆるベベル形状である場合等、切り離しの際に鋭利な突起が形成される可能性があるどのような形状の角部を有する容器に対しても、好適に適用することができる。
【００１９】
また、本実施形態においては、複数の容器２が横方向へ一直線上に繋がっている複数連接型容器１について説明したが、必ずしもかかる構成の複数連接型容器に限定されるものではなく、ｎ列×ｎ列（ｎ≧２）のマトリックス状に繋がった状態の複数連接型容器に適用することもできる。
【図面の簡単な説明】
【００２０】
【図１】本発明に係る複数連接型容器１の平面図。
【図２】図１の複数連接型容器１の部分拡大図。
【図３】図１の複数連接型容器１において、ミシン目４の位置がずれてしまった状態を示す図。
【図４】図３の複数連接型容器１を、ミシン目４に沿って容器２毎に切り離した状態を示す図。
【図５】従来の複数連接型容器３１の平面図。
【図６】図５の複数連接型容器３１を、ミシン目３４に沿って容器３２毎に切り離した状態を示す図。
【図７】図５の複数連接型容器３１において、ミシン目３４の位置がずれてしまった状態を示す図。
【図８】図７の複数連接型容器３１を、ミシン目３４に沿って容器３２毎に切り離した状態を示す図。
【符号の説明】
【００２１】
１，３１：複数連接型容器、
２，３２：容器、
３，３３：鍔部、
３ａ，３３ａ：角部、
４，３４：ミシン目、
５，３５：切欠最奥部、
６：切込、
６ａ：内側端部、
３９：突起、
【図１】
2009120246.tif 000003
【図２】
2009120246.tif 000004
【図３】
2009120246.tif 000005
【図４】
2009120246.tif 000006
【図５】
2009120246.tif 000007
【図６】
2009120246.tif 000008
【図７】
2009120246.tif 000009
【図８】
2009120246.tif 000010